(57)【特許請求の範囲】
【請求項１】
被検眼前眼部を撮影する前眼部撮影光学系と、撮影された被検眼前眼部を表示する表示手段と、被検眼の屈折力を他覚的に測定する測定手段と、を備える眼科検査装置において、被検眼の屈折力を測定する測定モードと顔面撮影モードとを切換える切換え信号入力手段と、該切換え信号入力手段に基づいて、測定モードから顔面撮影モードに切換えられたときは、前記前眼部撮影光学系の撮影光路に凹レンズを挿入し、顔面撮影モードから測定モードに切換えられたときは、撮影光路から凹レンズを脱出させて、撮影部位を被検眼前眼部とするか、被検眼の顔面とするかを切換える撮影部位切換え手段と、該切換え信号入力手段に基づいて、測定モードから顔面撮影モードに切換えられたときは、前記表示手段の表示モニタの表示から測定で使用される文字や記号等を非表示の状態にして被検眼の複数の顔面を静止画像として撮影を可能な状態にする撮影制御手段と、顔面撮影モードにおいて撮影された複数個の静止画像を呼び出して、複数個の静止画像を前記表示モニタに分割画面として同時に表示する表示制御手段と、前記表示手段の表示モニタの向きを変え、被検者側に表示方向を変化させる表示モニタ方向可変手段と、を備えたことを特徴とする眼科検査装置。
【発明の詳細な説明】
【０００１】
【発明の属する技術分野】
本発明は、被検眼の検査を行う眼科検査装置に関する。
【０００２】
【従来技術】
他覚式眼屈折力測定装置や角膜形状測定装置等の被検眼を検査する装置は、検査光学系を被検眼にアライメントするときなど、前眼部像を観察するための表示モニタを持つものが多い。
【０００３】
また、上記のような検査装置により矯正レンズの屈折力等を決定し、さらにこれを装用するための眼鏡フレームを選択する必要がある。このために、サンプルフレームを装用した顔面画像を複数撮影、記録した後、その顔面画像を見比べることでフレーム選択の補助とする装置も知られている。
【０００４】
【発明が解決しようとする課題】
しかしながら、前者の眼科検査装置は検査時のみにしか使用されておらず、検査を行わない時には表示モニタも使用されていない。普通、眼鏡店や眼科医院等では検査の回数が日に数回〜十数回程度のところが殆どで、眼科検査装置は使用されない時間の方が長い。
【０００５】
また、後者のフレーム選択補助装置もまた単独用途にしか使用できない上に大型で非常に高価であるため一般に普及していない。
【０００６】
本発明は、上記従来装置の欠点に鑑み、眼科検査装置を検査時以外にも有効に利用することができ、眼鏡作成、販売等に関わる作業を単独の装置で実現することが可能な眼科検査装置を提供することを技術課題とする。
【０００７】
【課題を解決するための手段】
上記課題を解決するために、本発明は以下のような構成を備えることを特徴とする。
【０００８】
（１）  被検眼前眼部を撮影する前眼部撮影光学系と、撮影された被検眼前眼部を表示する表示手段と、被検眼の屈折力を他覚的に測定する測定手段と、を備える眼科検査装置において、被検眼の屈折力を測定する測定モードと顔面撮影モードとを切換える切換え信号入力手段と、該切換え信号入力手段に基づいて、測定モードから顔面撮影モードに切換えられたときは、前記前眼部撮影光学系の撮影光路に凹レンズを挿入し、顔面撮影モードから測定モードに切換えられたときは、撮影光路から凹レンズを脱出させて、撮影部位を被検眼前眼部とするか、被検眼の顔面とするかを切換える撮影部位切換え手段と、該切換え信号入力手段に基づいて、測定モードから顔面撮影モードに切換えられたときは、前記表示手段の表示モニタの表示から測定で使用される文字や記号等を非表示の状態にして被検眼の複数の顔面を静止画像として撮影を可能な状態にする撮影制御手段と、顔面撮影モードにおいて撮影された複数個の静止画像を呼び出して、複数個の静止画像を前記表示モニタに分割画面として同時に表示する表示制御手段と、前記表示手段の表示モニタの向きを変え、被検者側に表示方向を変化させる表示モニタ方向可変手段と、を備えたことを特徴とする。
【００１７】
【発明の実施の形態】
以下、発明の実施の形態を図面に基づいて説明する。図１は本発明に係る眼科検査装置の外観図である。
【００１８】
５０は装置本体である。５１は被検眼や被検者の顔面像をカラー画像にて表示する表示モニタである。ここではカラー液晶表示器が使用されている。この他に表示モニタにはＣＲＴ、ＰＤＰ等のディスプレイを使用してもよい。表示モニタ５１はＡ軸を中心に回動可能に本体５０に保持されており、表示画面の向きを自在に変えて被検者側にも向けることができるようになっている。また、表示モニタ５１は所定時間操作が行われないと画面が切り替わり、予め入力された文字、画像等の情報が表示されるようになっている（以下、情報表示機能といい、その詳細は後述する）。５２はジョイスティックであり、検者はジョイスティク５２を操作することにより固定台５６に対して本体５０を移動してアライメント等を行う。また、ジョイスティック５２の上部にはスイッチ５２ａがあり、これを使用して後述する測定の開始、顔面像の撮影を行う。５７は検査時に被検者の顔を支持するためのヘッドレストであり、固定台５６に固設されている。
【００１９】
５３はキーボードであり、表示モニタ５１に表示させる文字を入力するときに使用する。５４はスイッチ部であり、各種の機能を切換えるためのスイッチ類が並ぶ。５５は通信ケーブルであり、通信ケーブル５５を通して外部装置とのデータの送受信を行う。通信方法はＬＡＮやＲＳ２３２Ｃ等の一般的な通信方法が使用される。
【００２０】
図２は装置の光学系概略配置図である。光学系は、被検眼の検査を行うための眼屈折力測定光学系、固視標光学系、及び撮影光学系（観察光学系）が配置される。
【００２１】
（眼屈折力測定光学系）
眼屈折力測定光学系１００は、スリット投影光学系１とスリット像検出光学系１０から構成される。スリット投影光学系１は次のような構成を持つ。２は近赤外域の光を発するスリット照明光源、３はミラーである。４はモータ５により一定の速度で一定方向に回転される円筒状の回転セクターである。回転セクター４の側面には多数のスリット開口４ａが設けられている。６は投影レンズであり、光源２は投影レンズ６に関して被検眼角膜近傍と共役な位置に位置する。７は制限絞り、８は被検眼Ｅに対向する光軸Ｌ１とスリット投影光学系の光軸Ｌ２を同軸にするビームスプリッタである。
【００２２】
光源２を発した赤外の光はミラー３に反射されて回転セクター４のスリット開口４ａを照明する。回転セクター４の回転により走査されたスリット光束は、投影レンズ６、制限絞り７を経た後にビームスプリッタ８で反射される。その後、固視標光学系及び撮影光学系の光軸を同軸にするビームスプリッタ９を透過して被検眼Ｅの角膜近傍で集光した後、眼底に投影される。
【００２３】
スリット像検出光学系１０は、光軸Ｌ１上に設けられた受光レンズ１１及びミラー１２と、ミラー１２により反射される光軸Ｌ３上に設けられた絞り１３及び受光部１４を備える。受光部１４は受光レンズ１１に関して被検眼角膜と略共役であり、受光部１４には光軸Ｌ３を挟んで対称に配置された１対以上の受光素子を備える。
【００２４】
このような構成の眼屈折力測定光学系１００は、モータ２０とギヤ等から構成される回転機構２１により、スリット投影光学系１のスリット照明光源２〜モータ５が光軸Ｌ２を中心に、受光部１４が光軸Ｌ３を中心にして同期して回転するようになっている。
【００２５】
（固視標光学系）
３０は固視標光学系であり、３１は可視光源、３２は固視標、３３は投光レンズである。投光レンズ３３は光軸方向に移動することによって被検眼の雲霧を行う。３４はビームスプリッタである。光源３１は固視標３２を照明し、固視標３２からの光束は投光レンズ３３、ビームスプリッタ３４を経た後、ビームスプリッタ９で反射して被検眼Ｅに向かい、被検眼Ｅは固視標３２を固視する。
【００２６】
（観察光学系）
３５は撮影光学系である。３６は撮影レンズ、３７はカラー撮影可能な撮像カメラであり、表示モニタ５１にカラー画像を提供する。
【００２７】
被検眼の眼屈折力測定時には、被検者の顔をヘッドレスト５７に固定する。図示なき照明光源により照明された被検眼の前眼部像は、ビームスプリッタ９、ビームスプリッタ３４で反射された後、撮影レンズ３６を経て撮像カメラ３７で撮影され、表示モニタ５１に映出される。検者は表示モニタ５１に表示される前眼部像を観察してアライメントを行う。
【００２８】
４０は被検者の顔を撮影する時に使用するコンバージョンレンズである。コンバージョンレンズの屈折力は、測定用対物レンズや撮像カメラ対物レンズ等によって決定され、本形態では−４０程度の屈折力を持つ両凹レンズを使用している。眼屈折力測定時にはコンバージョンレンズ４０は光路（光軸Ｌ１）から外されており、顔面撮影時には光路に置く。光路へのコンバージョンレンズ４０の挿脱はモータ等からなる駆動部６３により行われ、コンバージョンレンズ４０を撮影光路に挿入することにより撮影光学系３５は顔面を撮影する光学系とされる。なお、コンバージョンレンズ４０をヘッドレスト５７側に取付け、顔面撮影時には手動で光路上に配置するようにしてもよい。
【００２９】
また、上記では撮像カメラ３７を撮影光学系と顔面撮影用の光学系の両方に使用しているが、撮像カメラ３７とは別に顔面撮影用対物レンズを有する顔面撮影用カメラを設けておき、用途に応じて用いるカメラを切替えて使用することも可能である。
【００３０】
以上のような構成を持つ装置において、その動作について図３の制御系ブロック図を使用して説明する。
【００３１】
まず、眼屈折力測定について簡単に説明する。検者は、スイッチ部５４のモード切換スイッチ５４ａにより眼屈折力を測定する検査モードにし、表示モニタ５１に映し出される前眼部像を観察しながらアライメントを行う。このアライメントは位置合わせ用の視標を角膜に投影し、その角膜反射輝点とレチクルとが所定の関係になるようにする周知のものが使用できる。アライメントが完了した後スイッチ５２ａを押すと、トリガ信号が発せられて測定が開始する。
【００３２】
眼屈折力測定は位相差法に基づいて行われる。すなわち、受光部１４が持つ一対の受光素子で検出される眼底からの反射スリット像の位相差信号から、受光素子が並ぶ経線方向の屈折力が求められる。次に、投光レンズ３３を移動して固視標３２を被検眼眼底と共役な位置に置いた後、さらにこれを適当なディオプタ分だけ雲霧がかかるように移動させる。被検眼に雲霧が掛かった状態でスリット投影光学系１と受光部１４を同期して回転することにより各経線方向の屈折力を求めることができ、各経線の屈折力に所定の処理を施すことによりＳ（球面度数）、Ｃ（乱視度数）、Ａ（乱視軸角度）の測定結果が得られる。なお、位相差法による屈折力測定については、本願出願人による特開平１０−１０８８３７号等を参照されたい。
【００３３】
次に、顔面撮影について説明する。この顔面撮影は被検者（来店者）に様々な眼鏡のフレームを掛けさせ、それらを被検者自身が見比べることのできるフレームセレクタとしての機能を持たせることができるものである。初めにスイッチ５４ａにより顔面撮影モードにする。このモードが選択されると、制御部６０は駆動部６３を駆動してコンバージョンレンズ４０を撮影光路に挿入する。被検者には選択した眼鏡のフレームを掛けさせ、被検者の顔をコンバージョンレンズ４０から４０〜５０ｃｍ離れた所に位置させる。撮影光学系３５はコンバージョンレンズ４０の挿入により広角撮影が可能になり、被検者の顔は撮像カメラ３７で撮影されて表示モニタ５１にカラー画像にて映し出される。
【００３４】
検者は表示モニタ５１を見ながら、装置本体１の移動又は被検者自身の移動により撮影位置を整える。このときヘッドレスト５７が撮影画面に映り込むときは、これを解消するように本体１を被検者側へ移動しておく。なお、顔面撮影ではアライメントマークやその他の測定に使用される文字、記号等は不要であるので制御部６０により表示モニタ５１上に表示されないようになっている。位置決めが完了した後、スイッチ５２ａを押すと撮像カメラ３７にて撮像された画像データがフレームメモリ６１を経て、メモリ６４ａに記憶される。
【００３５】
次に、被検者には別の眼鏡フレームを掛けてもらい、同様の手順にて撮影した被検者の顔面の画像データをメモリ６４ａに記憶させる。こうして複数枚の画像データが記憶されたら、被検者が撮影した顔面像を確認できるように、表示モニタ５１の画面を被検者側に向ける（表示モニタ５１を動かさずに被検者が検者側へ来てもらったり、装置を搭載する架台を移動するようにしても良い）。
【００３６】
被検者が撮影した顔面像を確認するときは、スイッチ部５４の表示スイッチ５４ｂを押す。制御部６０はメモリ６４ａから記憶されている画像データを呼び出し、表示モニタ５１の表示画面を撮影用の態様から呼び出した画像データを表示する態様に切換える。このときの画像データは図４のように画面を分割して表示される。２枚以上の顔面像を撮影した場合は、スイッチ５４ｂを使用することで記憶されている別の画像データが２画像ずつ表示モニタ５１に表示される。このように１画面にて２つの顔面画像を表示することにより、被検者は各々を比べながら自分に合うと思われるフレームを選ぶことができる。また、画面の分割はさらに画面を細かく（例えば４分割等）して表示させてもよい。
【００３７】
また、プリンタ６５により上述した画像データをプリントアウトさせることも可能である。この場合、スイッチ部５４のプリントスイッチ５４ｃを使用する。スイッチ５４ｃが押されると、表示されている顔面画像データ（出力する画像データを選択しても良い）がケーブル５５を通じてプリンタ６５へ転送され、フレームを掛けた被検者の顔面像が出力される。出力に使用される出力媒体には紙の他にシール等が考えられ、出力した顔面像をサービスとしてお客様に提供し、集客促進に役立てることも可能である。
【００３８】
次に、情報表示機能について説明する。検者はスイッチ部５４の文字表示設定用スイッチ５４ｄを押す。スイッチ５４ｄが押されると、制御部６０は表示モニタ５１に表示する画面を撮像カメラ３７による撮影像の表示から文字表示設定用の画面に切換える。文字表示設定用の画面は文字表示時に表示させる文字を作成する項目や、どの程度操作を行わない時間が続くと自動的に文字表示を開始させるかを設定する文字表示開始時間の設定項目等からなる。
【００３９】
検者はキーボードを使用して、表示モニタ５１に表示させたい任意の文字列を入力する。例えば、眼鏡店等では営業時間、定休日、特価品等の情報を、眼科医院で使用するなら診療時間、休診日等を任意に入力できる。そうすることで眼科検査装置を通して来店者、来院者に所定の情報を伝えることができる。キーボードによる文字の入力方法は、一般に行われるワープロ、パソコン等の文字入力方法と同様である。また、同時に文字表示開始時間を設定しておく（例えば、開始時間１０分と設定すると、１０分間何も操作しない時間が継続すると自動的に記憶された文字列が表示モニタ５１に表示される）。すべての入力が終了したらもう一度スイッチ５４ｄを押して設定を完了させる。スイッチ５４ｄが押されると制御部６０は入力された文字列データをメモリ６４ｂに記憶させる。
【００４０】
このような設定をした後、本装置の操作を行わない時間が文字表示開始時間に達すると、制御部６０は表示モニタ５１の画面を撮像カメラ３７で得られた撮影像を表示する態様から、メモリ６４ｂに記憶された文字列データを表示する態様に切換える。図５はこの時の画面例であり、任意の背景画面上に、入力された文字列データが表示される。
【００４１】
また、スイッチ５４ｅを使用することで、文字表示開始時間に関係なく表示モニタ５１の画面を文字列データの表示態様にすることもできる。
【００４２】
情報表示機能により表示モニタ５１の画面が文字列を表示する態様に切換わった後、何れかの操作スイッチを押すと文字表示機能が働く直前の画面の態様に戻される。これにより、表示モニタを検査用（撮影用）に使用することができるようになる。
【００４３】
このように、広告等の任意の情報を表示モニタ５１に表示させておくことで装置を検査に使用しない時であっても有効に利用できる。さらに言えば、情報表示機能が働いている時に文字ではなく画像（例えば、眼球構造説明図や眼鏡のフレーム写真等）を表示させることも可能である。この場合は、予めメモリ６４ｂに複数の画像データを記憶させておき、情報表示機能の設定時にこれらを選択させる方法や、ケーブル５５を利用して外部から画像データをメモリ６４ｂに記憶させて使用する方法で行うことができる。なお、装置を使用しないときは表示モニタ５１を検査状態の位置から来店者（来院者）に見やすい位置に移動させておくと良い。
【００４４】
以上説明したフレームセレクタ機能においては、被検者が予め眼鏡フレームを掛けておき、それを画像として記憶させておくものであったが、予めメモリ６４ａに多くのフレーム画像を複数記憶させておき、フレームを掛けずに撮影した顔面像に画像処理回路６２を使用してフレームデータを重ね合せて表示モニタ５１に表示させることも考えられる。
【００４５】
【発明の効果】
以上説明したように、本発明によれば、眼科検査装置を検査以外にも使用でき、検査装置を有効利用することができる。
【図面の簡単な説明】
【図１】装置の外観を示す図である。
【図２】光学系を示す図である。
【図３】制御系を示すブロック図である。
【図４】フレームセレクタ機能により、表示モニタに顔面像を表示させた状態を示した図である。
【図５】情報表示機能により、表示モニタに文字列を表示させた状態を示した図である。
【符号の説明】
５０  装置本体
５１  表示モニタ
５２  ジョイスティック
５２ａ  スイッチ
５３  キーボード
５４  スイッチ部
５５  通信ケーブル
５６  固定台
５７  ヘッドレスト
【図１】
0003784189.tif 000002
【図２】
0003784189.tif 000003
【図３】
0003784189.tif 000004
【図４】
0003784189.tif 000005
【図５】
0003784189.tif 000006